(57)【要約】【課題】  本発明は、きわめて小さいお灸点での高温熱刺激を与えるお灸を可能とするとともに、手軽な操作で温度調節も可能な灸具の提供を図るものである。【解決手段】  本発明は、燃焼材と熱溜まり燃焼材保持具と台座と接着シートから構成し、前記燃焼材内部には空洞部を形成し、前記熱溜まり燃焼材保持具には周壁に燃焼用空気取込口を周設するとともに底面中央に燃焼熱伝導口を形設し、前記台座には内径の異なる複数の燃焼熱伝導孔が設けられたシャッターが底面平行方向に摺動可能に具設され、該シャッター上面には傾斜面が形設されており、カム機構によって該シャッターの水平摺動に応動して該前記燃焼材保持具が上下移動する温度調整機構を備えている構成とした。【選択図】図２
2011010700.tif 000002
【特許請求の範囲】
【請求項１】
灸具であって、燃焼材と熱溜まり燃焼材保持具と台座と接着シートとから成り、前記燃焼材内部には空洞部が形成され、前記熱溜まり燃焼材保持具には底面中央に燃焼熱伝導口が形設され、前記台座には内径の異なる複数の燃焼熱伝導孔を設けたシャッターが底面平行方向に摺動可能に具設され、該シャッター上面には傾斜面が形設され、カム機構によって該シャッターの水平摺動に応動して該前記燃焼材保持具が上下移動する温度調整機構を備えていることを特徴とする灸具。
【請求項２】
前記燃焼材が木質材であることを特徴とする請求項１に記載の灸具。
【請求項３】
前記燃焼材の上部が、凹形状または凸形状に形成されていることを特徴とする請求項１又は請求項２に記載の灸具。
【請求項４】
前記熱溜まり燃焼材保持具の周壁に、燃焼用空気取込口が周設されていることを特徴とする請求項１から請求項３に記載の灸具。
【発明の詳細な説明】
【技術分野】
【０００１】
本発明は、もぐさや木質材等の燃焼材を使用するお灸治療具に関し、お灸点面積及び温度調節を容易に変更可能な灸具に関する。
【背景技術】
【０００２】
お灸は、
経穴（つぼ）と呼ばれる特定の部位に対し温熱刺激を与えることによって生理状態を変化させて疾病を治療する伝統的医術であり、一般にはもぐさ等の艾&#28855;（がいしゅ）と呼ばれる燃焼材（以下、単に「燃焼材」という）を皮膚に乗せて火をつける方法で、医師以外の者が灸を業として行う場合は灸師免許が必要となる。しかし、近年では家庭においても容易にお灸治療が行える各種のお灸治療具が開発されるようになった。これらのお灸治療具の多くは、厚紙などの台座に燃焼材を取り付けて燃焼させる台座灸である。
【０００３】
このように家庭で手軽にお灸治療が可能になったものの、市販の台座灸ではお灸点の面積を変えることができないために、台座面全体に熱が伝わってしまい、極めて小さなお灸点で高い温熱刺激を与えることができない。また、大きなお灸痕が残ってしまうという問題もある。
【０００４】
そこで、このような問題を解決すべく、従来から種々の技術が提案されている。例えば、口径０．５ｍｍから１．５ｍｍの大きさの穴を有するお灸用シートがある（特許文献１参照）。係る技術はきわめて小さいお灸点でのお灸を可能とし、高温の熱刺激を与えるお灸を可能としている。しかしながら、係る技術では燃焼材の燃焼初期から後期にかける温度変化に対応できないという問題点がある。また、台座を折りたたんで上下の位置を調節して、患部における体感温度を調節する技術も提供されている（特許文献２参照）。係る技術は施灸中に体感温度を調整できるが、お灸点の面積を変更できるものではないため、小さいお灸点で高温の熱刺激を与えることはできない。またさらに、ねじにより上下の位置を調節して、患部における体感温度を調節する技術も提供されている（特許文献３参照）。しかし、係る技術は、ねじを回して調整するため煩雑であり、熱いと感じた時に瞬時に対応できず、また、小さいお灸点で高温の熱刺激を与えるというお灸本来の効果を得ることができない。
【０００５】
また他にも、燃焼時に燃焼材から発生する薬効成分ガスを中央開口の方への流動促進する為の穴を形成した技術や（特許文献４参照）、温熱効果の持続性を保つために不燃性の金属薄箔を用いたシートの技術（特許文献５参照）、更には、燃焼熱が直線的に進行しないように空間で遮ぎることで熱が空間にこもって温熱を弱める技術（特許文献６参照）などがある。しかし、これらの技術は、保温性や持続性の向上、あるいは火傷等を防止するためのもので、高温の熱刺激を与えられるようにするものではない。
【特許文献１】特開２００５−１３２４６号公報
【特許文献２】特開平５−２８５１９３号公報
【特許文献３】実用新案登録第３０６０９８４号
【特許文献４】実用新案登録第３０２２６８７号
【特許文献５】特開２００３−１９９８０４号公報
【特許文献６】特開２００１−２９３０６１号公報
【発明の概要】
【発明が解決しようとする課題】
【０００６】
そこで、本発明は、係る問題点に鑑み、きわめて小さいお灸点での高温熱刺激を与えるお灸を可能としつつ、手軽な操作で温度調節が可能な灸具の提供を図るものである。
【課題を解決するための手段】
【０００７】
前記目的を達成するため、請求項１の発明は、灸具であって、燃焼材と熱溜まり燃焼材保持具と台座と接着シートとからから構成し、前記燃焼材内部には空洞部を形成し、前記熱溜まり燃焼材保持具には底面中央に燃焼熱伝導口を形設し、前記台座には内径の異なる複数の燃焼熱伝導孔を設けたシャッターが底面平行方向に摺動可能に具設し、該シャッター上面には傾斜面を形設し、カム機構によって該シャッターの水平摺動に応動して該前記燃焼材保持具が上下移動する温度調整機構を備える構成とした。
【０００８】
また、請求項２の発明は、前記燃焼材が木質材である構成とした。
【０００９】
またさらに、請求項３の発明は、前記燃焼材の上部を凹形状または凸形状に形成することで着火性を向上させる構成とした。
【００１０】
そして、請求項４の発明は、前記熱溜まり燃焼材保持具の周壁に、燃焼用空気取込口が周設されている構成とした。
【発明の効果】
【００１１】
本発明に係るに灸具によれば、施灸中に温熱調整が可能となるという優れた効果を奏する。
【００１２】
また、本発明に係るに灸具によれば、きわめて小さいお灸点での高温熱刺激を与えるお灸治療が可能となるという優れた効果を奏する。
【００１３】
さらに、本発明に係るに灸具によれば、手軽な操作で容易にお灸点の面積を変えることもできるという優れた効果を奏する。
【００１４】
またさらに、本発明に係るに灸具によれば、着火より早期に燃焼が始まり、保温性及び持続性が向上するという優れた効果を奏する。
【００１５】
さらにまた、本発明に係るに灸具によれば、季節・個人差・体調等による皮膚に感じる体感温度の差異にも対応できるという優れた効果を奏する。
【発明を実施するための最良の形態】
【００１６】
本発明に係る灸具１は、内径の異なる複数の燃焼熱伝導孔５ａ・５ｂが設けられたシャッター５を、底面平行方向に摺動可能に具設したことで、お灸点面積を施灸中に任意に変更できる構造としたことを最大の特徴とする。以下、本発明に係るに灸具１の実施形態を図面に基づいて説明する。
【００１７】
図１は本発明に係る灸具１の部品構成を示す説明斜視図である。図２は本発明に係る灸具１の構成を示す組立斜視図である。図３は、本発明に係る灸具１の構造及び機能を示す立体断面図であり、図３（ａ）は小さい燃焼熱伝導孔５ａが選択され熱溜まり燃焼材保持具３が下がった状態を、図３（ｂ）は大きい燃焼熱伝導孔５ｂが選択され熱溜まり燃焼材保持具３が上がった状態をそれぞれ示している。
【００１８】
燃焼材２の形状は、もぐさ等の燃焼材２を略円錐形状に形成し、内部には保温性等を高めるための空洞部２ａが略円錐形状に形成されている。また、図に示すように、上部には空気との接触面積を増やして着火性を高めるための凹部２ｂを設けることが望ましい。なお、図示はしていないが同様の効果を得るために凸形状としてもよい。燃焼材２の素材については、もぐさや木質材を用いるが、木質材には、例えば、檜等の木質ペレットや杉等の線香などが考え得る。そして、燃焼材２は接着または嵌着等により熱溜まり燃焼材保持具３に具設される。
【００１９】
熱溜まり燃焼材保持具３の素材は、熱伝導の良いアルミニウム・銅・ステンレスなどの金属が考えられるが、これらに限定されるものではなく、熱伝導がよく耐熱性を有し、人体に無害なものであればよい。また、熱溜まり燃焼材保持具３の形状は、燃焼材２底部外周に内接する凹形状の保持部または燃焼材空洞部２ａ内周に外接する凸形状の保持部を有し、中心部には貫通した燃焼熱伝導口３ａが形成されている。さらに、熱溜まり燃焼材保持具３の底面には、台座４ａに装着するための凹形状または凸形状の装着部が形成されている。なお、熱溜まり燃焼材保持具３の周壁には、内側に向かって山形形状に突出した形状と切り込みを形成し、張力によって燃焼材２の保持性を高めるバネ部３ｃを設けることが望ましい。
【００２０】
そして、請求項３に係る発明では、熱溜まり燃焼材保持具３の周壁に、燃焼用空気取込口３ｂを複数周設し、燃焼性の向上を図っている。
【００２１】
台座４は、台座４ａと台座４ｂを組み合わせて構成され、台座４ａの上面中心には、前記燃焼材２が前記熱溜まり燃焼材保持具３を介して装着される。また、台座４には、内径の異なる複数の燃焼熱伝導孔５ａ・５ｂが連続的に設けられたシャッター５が底面平行方向に摺動可能に具設される。さらに、該シャッター上面には傾斜面が形設され、カム機構によって前記シャッターに接する前記燃焼材保持具を該シャッターの水平摺動に応動して上下移動させる。
【００２２】
台座４及びシャッター５は耐熱性のある金属や樹脂等で形成すれば素材については特に限定されるものではないが、カイダック（登録商標）のような耐熱性を有する熱伝導率の低い樹脂を用いれば、燃焼熱の放熱を少なくできるとともに、燃焼熱伝導孔５ａ・５ｂへの集熱効果も高くなる。シャッター５は、スライド位置によって内径の異なる燃焼熱伝導孔５ａ又は燃焼熱伝導孔５ｂの選択を可能にしている。なお、図２では実施例として燃焼熱伝導孔５ａと燃焼熱伝導孔５ｂの大・小の２つの孔を設けた構成を示しているが、これに限定されるものではなく、例えば、大・中・小・遮断の４段階構成としたりすることもできる。
【００２３】
接着シート６は、台座４と皮膚の間に粘着剤等で剥離可能に接着され、台座４から伝わる熱を和らげる。素材は厚紙やスポンジ等で形成し、中心部分には前記燃焼熱伝導孔５ａ・５ｂ中最も大きい孔の内径以上の燃焼熱伝導口６ａを設けている。接着シート６の皮膚側面には離型紙が被着され、使用時は接着シート６の縁所定箇所に突出した舌片６ｂを掴み離型紙を剥がして使用する。
【図面の簡単な説明】
【００２４】
【図１】本発明に係る灸具１の部品構成を示す説明斜視図。
【図２】本発明に係る灸具１の構成を示す組立斜視図。
【図３】本発明に係る灸具１の構造及び機能を示す立体断面図。
【符号の説明】
【００２５】
１    灸具
２    燃焼材
２ａ  空洞部
２ｂ  凹部
３    熱溜まり燃焼材保持具
３ａ  燃焼熱伝導口
３ｂ  燃焼用空気取込口
４    台座
４ａ  台座
４ｂ  台座
４ｃ  燃焼熱伝導口
５    シャッター
５ａ  燃焼熱伝導孔
５ｂ  燃焼熱伝導孔
６    接着シート
６ａ  燃焼熱伝導口
６ｂ  舌片
【図１】
2011010700.tif 000003
【図２】
2011010700.tif 000004
【図３】
2011010700.tif 000005
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
灸具であって、燃焼材と熱溜まり燃焼材保持具と台座と接着シートとから成り、前記燃焼材内部には空洞部が形成され、前記熱溜まり燃焼材保持具には底面中央に燃焼熱伝導口が形設され、該台座には内径の異なる複数の燃焼熱伝導孔を設けたシャッターが底面平行方向に摺動可能に具設され、該シャッター上面には内径の小さい燃焼熱伝導孔から内径の大きい燃焼熱伝導孔に向けて厚くなるように傾斜面が形設され、該シャッター及び前記台座は耐熱性を有する熱伝導率が低い樹脂素材で形成され、前記傾斜面がカム機構によって該シャッターの水平摺動に応動して該前記燃焼材保持具が上下移動する温度調整機構を備えていることを特徴とする灸具。
【請求項２】
前記燃焼材が木質材であることを特徴とする請求項１に記載の灸具。
【請求項３】
前記燃焼材の上部が、凹形状または凸形状に形成されていることを特徴とする請求項１又は請求項２に記載の灸具。
【請求項４】
前記熱溜まり燃焼材保持具の周壁に、燃焼用空気取込口が周設されていることを特徴とする請求項１から請求項３のいずれかに記載の灸具。
【手続補正２】
【補正対象書類名】明細書
【補正対象項目名】００２１
【補正方法】変更
【補正の内容】
【００２１】
台座４は、台座４ａと台座４ｂを組み合わせて構成され、台座４ａの上面中心には、前記燃焼材２が前記熱溜まり燃焼材保持具３を介して装着される。また、台座４には、内径の異なる複数の燃焼熱伝導孔５ａ・５ｂが連続的に設けられたシャッター５が底面平行方向に摺動可能に具設される。さらに、該シャッター上面には内径の小さい燃焼熱伝導孔から内径の大きい燃焼熱伝導孔に向けて厚くなるように傾斜面が形設され、この傾斜面がカム機構によって前記シャッターに接する前記燃焼材保持具を該シャッターの水平摺動に応動して上下移動させる。内径の小さい燃焼熱伝導孔が選択された時の燃焼材２は下方へ移動し、内径の大きい燃焼熱伝導孔が選択された時の燃焼材２は上方へ移動する構造である。